(57)【要約】      （修正有）【課題】押し出し成形によって形成したベースプレートの薄板フィン取付面に、低コストで、強固に薄板フィンを取り付けることができ、且つ、放熱効率に優れたヒートシンクを提供する。【解決手段】一方の面が発熱部品に熱的に接続され、他方の面に並列に配置された複数の凸部５を備えたベースプレート２と、前記ベースプレートの前記凸部に対応するスリット部８を備えた底部６および放熱部７からなる概ねＬ字形の薄板フィン３とを備え、前記スリット部が前記凸部に嵌合され、前記凸部の頭部の少なくとも一部がカシメられて、前記薄板フィンが前記ベースプレートに固定されている、ヒートシンク。【選択図】図１
2010040996.tif 000002
【特許請求の範囲】
【請求項１】
一方の面が発熱部品に熱的に接続され、他方の面に並列に配置された複数の凸部を備えたベースプレートと、前記ベースプレートの前記凸部に対応するスリット部を備えた底部および放熱部からなる概ねＬ字形の薄板フィンとを備え、前記スリット部が前記凸部に嵌合され、前記凸部の頭部の少なくとも一部がカシメられて、前記薄板フィンが前記ベースプレートに固定されている、ヒートシンク。
【請求項２】
前記ベースプレートが押し出し成形によって形成されたベースプレートである、請求項１に記載のヒートシンク。
【請求項３】
前記概ねＬ字形の薄板フィンが、隣接する薄板フィンとの間を係合する、前記放熱部の頂部の両側端部に一体的に形成された係合部を備えている、請求項1または２に記載のヒートシンク。
【請求項４】
前記スリット部が、四周が閉塞された矩形からなっている、請求項１から３の何れか1項に記載のヒートシンク。
【請求項５】
前記スリット部が、長手方向の一方の端部が開放されている、請求項１から３の何れか1項に記載のヒートシンク。
【請求項６】
前記凸部の基部の幅が、前記凸部の頭部の幅よりも小さい、請求項１から５の何れか1項に記載のヒートシンク。
【請求項７】
前記凸部の長手方向の側面が前記頭部から前記基部に向かって所定の角度で傾斜している、請求項６に記載のヒートシンク。
【請求項８】
前記凸部の上面に、長手方向に沿って溝状の切り込み部が形成されている、請求項６または７に記載のヒートシンク。
【請求項９】
一方の面が発熱部品に熱的に接続され、他方の面に並列に配置された、窪み部を備えた上面部および脚部からなる逆Ｌ字形の突起部を備えたベースプレートと、底部および放熱部からなる概ねＬ字形の薄板フィンとを備え、前記ベースプレートの前記窪み部に、前記薄板フィンの前記底部が嵌合され、前記上面部がカシメられて、前記薄板フィンが前記ベースプレートに固定されている、ヒートシンク。
【請求項１０】
一方の面が発熱部品に熱的に接続され、他方の面に並列に配置された、上部が下部よりも狭い溝部を備えたベースプレートと、底部および放熱部からなる概ねＬ字形の薄板フィンとを備え、前記ベースプレートの前記溝部に前記薄板フィンの下端部が嵌合され、前記他方の面の前記上部近傍がカシメられて、前記薄板フィンが前記ベースプレートに固定されている、ヒートシンク。
【請求項１１】
前記ベースプレートの前記発熱部品が熱的に接続される側の面に、前記ベースプレートを基板に取り付けるための固定用構造体を備えている、請求項１から１０の何れか1項に記載のヒートシンク。
【発明の詳細な説明】
【技術分野】
【０００１】
この発明は、ヒートシンク、特に押し出し成形によって形成されたベースプレートの一方の面に、薄板フィンをカシメによって接合したヒートシンクに関する。
【背景技術】
【０００２】
ＣＰＵ、素子等の発熱量、発熱密度の増大によって、放熱効率に優れた高性能の冷却技術が求められている。他方、低コストで製造することができる冷却装置が要求されている。
放熱効率に優れたヒートシンクが特開２００３−１５８２２７号公報に開示されている。図９は、特開２００３−１５８２２７号公報に開示されたヒートシンクを説明する図である。
【０００３】
図９に示すように、ベースプレート１０１の薄板フィン取付面に並列して設けた複数の溝部１０２に薄板フィン１０３が装入され、薄板フィン取付面の溝部両側近傍１０４の薄板フィン取付面１０４に、平らな面１０９ａおよび傾斜した側面１０９ｂからなる断面が概ね台形状に先細りに形成された凹部１０９が、塑性変形によって連続的に形成されている。このようになされた塑性変形によって、薄板フィン１０３が溝部１０２内にカシメ接合されている。
【０００４】
即ち、このヒートシンクにおいては、薄板フィン取付面の溝部両側近傍１０４に塑性変形により連続的に設けられた凹部１０９は、断面が概ね台形状に先細りに形成されているので、塑性変形の量が多く、傾斜した側面１０９ｂが薄板フィンに押し付けられて、溝部１０２の深い位置まで圧縮される。従って、薄板フィン１０３は、広い面積において、溝部１０２の側面によって強固にカシメ接合される。
【特許文献１】特開２００３−１５８２２７号公報
【発明の開示】
【発明が解決しようとする課題】
【０００５】
特許文献１に開示されたヒートシンクは、ベースプレートの薄板フィン取付面に機械加工によって溝部を形成し、溝部に薄板フィンを装入し、薄板フィン取付面の溝部両側近傍の薄板フィン取付面を塑性変形して、凹部を形成しているので、塑性変形量が多く、薄板フィンが溝部内に強固にカシメ接合されている。従って、ヒートシンクを電子部品に取り付ける際や使用中に、薄板フィンが傾斜したり外れたりすることは無かった。また放熱効率にも優れていた。
しかし、ベースプレートの薄板フィン取付面に機械加工によって溝部を形成する際に、加工費が高くなり、全体のコストが高くなるという問題点があった。
【０００６】
従って、この発明の目的は、押し出し成形によって形成したベースプレートの薄板フィン取付面に、低コストで、強固に薄板フィンを取り付けることができ、且つ、放熱効率に優れたヒートシンクを提供することにある。
【課題を解決するための手段】
【０００７】
発明者は上述した従来の問題点を解決すべく鋭意研究を重ねた。その結果、押し出し成形によって、ベースプレートの薄板フィン取付面に並列配置された複数の凸部を形成し、ベースプレートに取り付ける、底部および放熱部からなる概ねＬ字形の薄板フィンの底部に、凸部に対応したスリットを設け、スリットに凸部を嵌合し、凸部の頭部をカシメて薄板フィンをベースプレートに固定すると、押し出し成形によって形成したベースプレートの薄板フィン取付面に、低コストで、強固に薄板フィンを取り付けることができ、且つ、放熱効率に優れたヒートシンクが得られることが判明した。この発明は、上述した結果に基づいてなされたものである。
【０００８】
この発明のヒートシンクの第１の態様は、一方の面が発熱部品に熱的に接続され、他方の面に並列に配置された複数の凸部を備えたベースプレートと、前記ベースプレートの前記凸部に対応するスリット部を備えた底部および放熱部からなる概ねＬ字形の薄板フィンとを備え、前記スリット部が前記凸部に嵌合され、前記凸部の頭部の少なくとも一部がカシメられて、前記薄板フィンが前記ベースプレートに固定されている、ヒートシンクである。
【０００９】
この発明のヒートシンクの第２の態様は、前記ベースプレートが押し出し成形によって形成されたベースプレートであるヒートシンクである。
【００１０】
この発明のヒートシンクの第３の態様は、前記スリット部が、四周が閉塞された矩形からなっているヒートシンクである。
【００１１】
この発明のヒートシンクの第４の態様は、前記スリット部が、長手方向の一方の端部が開放されているヒートシンクである。
【００１２】
この発明のヒートシンクの第５の態様は、前記凸部の基部の幅が、前記凸部の頭部の幅よりも小さいヒートシンクである。
【００１３】
この発明のヒートシンクの第６の態様は、前記ヒートシンクである。
【００１４】
凸部の長手方向の側面が前記頭部から前記基部に向かって所定の角度で傾斜している
この発明のヒートシンクの第７の態様は、前記凸部の上面に、長手方向に沿って溝状の切り込み部が形成されているヒートシンクである。
【００１５】
この発明のヒートシンクの第８の態様は、一方の面が発熱部品に熱的に接続され、他方の面に並列に配置された、窪み部を備えた上面部および脚部からなる逆Ｌ字形の突起部を備えたベースプレートと、底部および放熱部からなる概ねＬ字形の薄板フィンとを備え、前記ベースプレートの前記窪み部に、前記薄板フィンの前記底部が嵌合され、前記上面部がカシメられて、前記薄板フィンが前記ベースプレートに固定されている、ヒートシンクである。
【００１６】
この発明のヒートシンクの第９の態様は、一方の面が発熱部品に熱的に接続され、他方の面に並列に配置された、上部が下部よりも狭い溝部を備えたベースプレートと、底部および放熱部からなる概ねＬ字形の薄板フィンとを備え、前記ベースプレートの前記溝部に前記薄板フィンの下端部が嵌合され、前記他方の面の前記上部近傍がカシメられて、前記薄板フィンが前記ベースプレートに固定されている、ヒートシンクである。
【００１７】
この発明のヒートシンクの第１０の態様は、前記ベースプレートの前記発熱部品が熱的に接続される側の面に、前記ベースプレートを基板に取り付けるための固定用構造体を備えているヒートシンクである。
【００１８】
この発明のヒートシンクのその他の態様は、前記概ねＬ字形の薄板フィンが、隣接する薄板フィンとの間を係合する、前記放熱部の頂部の両側端部に一体的に形成された係合部を備えているヒートシンクである。
【発明の効果】
【００１９】
この発明によると、ベースプレートに薄板フィンを接合固定することによって、押し出し成形によって形成したベースプレートの薄板フィン取付面に、低コストで、強固に薄板フィンを取り付けることができる。更に、機械加工によって溝を形成し、溝に薄板フィンを装入し、溝の周辺を塑性変形によって変形させて薄板フィンを取り付けるヒートシンクと同等の優れた放熱効率を備えたヒートシンクを得ることができる。
【００２０】
この発明によると、ベースプレートの薄板取付面に形成された凸部に、概ねＬ字形の薄板フィンの底部に形成された矩形のスリットを嵌合させ、凸部の頭部をカシメて、薄板フィンをベースプレートの薄板フィン取付面に固定するので、押し出し成形によって形成されたベースプレートを使用しても、押し出し成形では難しいとされる、所定のフィンピッチで、薄板フィンを接続することができる。
【発明を実施するための最良の形態】
【００２１】
この発明のヒートシンクを、図面を参照しながら説明する。
この発明のヒートシンクの第１の態様は、一方の面が発熱部品に熱的に接続され、他方の面に並列に配置された複数の凸部を備えたベースプレートと、ベースプレートの凸部に対応するスリット部を備えた底部および放熱部からなる概ねＬ字形の薄板フィンとを備え、スリット部が凸部に嵌合され、凸部の頭部の少なくとも一部がカシメられて、薄板フィンがベースプレートに固定されている、ヒートシンクである。
【００２２】
図１は、この発明のヒートシンクの１つの態様を説明する図である。図１（ａ）は、凸部を備えたベースプレートを示す図である。図１（ｂ）は、底部および放熱部からなる概ねＬ字形の薄板フィンを示す図である。図１（ｃ）は、スリットに凸部が嵌合された状態を示す図である。
【００２３】
図１（ａ）に示すように、例えば、押し出し成形によって形成された銅、アルミニウム、またはこれらの合金製のベースプレート２である。ベースプレート２の薄板フィン取付面４には、並列に配置された複数の凸部５が一体的に形成されている。図１（ａ）においては、説明を容易にするために１つの凸部５が、ベースプレート２の薄板取付面４に形成されているが、実際には、所定間隔で複数の凸部５が並列配置されている。
【００２４】
図１（ｂ）には、固定部６および放熱部７からなる概ねＬ字形の薄板フィン３が、図１（ａ）に示すベースプレート２に対応して配置されている。図１（ｂ）に示すように、ベースプレートの薄板フィン取付面に熱的に接続される固定部６には、上述した凸部５に対応するスリット８が形成されている。図１（ｂ）に示す態様では、矩形の凸部５に対応して、矩形のスリット８が形成されている。
【００２５】
図１（ｃ）は、図１（ａ）に示すベースプレートの薄板フィン取付面４に、押し出し成形で一体的に形成された矩形の凸部５が、図１（ｂ）に示す概ねＬ字形の薄板フィン３の固定部６に形成された矩形のスリット８に嵌合されている状態を断面図で示している。図１（ｃ）に示すように、押し出し成形によって形成されたベースプレート２の薄板フィン取付面４に一体的に形成された矩形の凸部５が、概ねＬ字形の薄板フィン３の固定部６に形成された矩形のスリット８に嵌合されている。このように嵌合された凸部５の頭部をカシメて、薄板フィン３をベースプレート２の薄板フィン取付面４に固定する。
【００２６】
図１（ｃ）には、１つの薄板フィンが示されているが、所定間隔で複数の薄板フィン３が並列に固定される。このように、ベースプレート２のフィン取付面４に形成された凸部５に、概ねＬ字形の薄板フィン３の固定部６に形成された矩形のスリット８を嵌合させ、凸部５の頭部をカシメて、薄板フィン３をベースプレート２の薄板フィン取付面４に固定するので、押し出し成形によって形成されたベースプレートを使用しても、押し出し成形では難しいとされる、所定のフィンピッチで、薄板フィン３を接続することができる。図１に示す態様では、概ねＬ字形の薄板フィン３を上方から垂直方向に移動して、凸部５に嵌合する。
【００２７】
なお、凸部５の頭部全体をカシメてもよいし、凸部５の頭部を部分的にカシメて固定してもよい。このようにベースプレート２に薄板フィン３を接合固定することによって、押し出し成形によって形成したベースプレートの薄板フィン取付面４に、低コストで、強固に薄板フィン３を取り付けることができる。機械加工によって溝を形成し、溝に薄板フィンを装入し、溝の周辺を塑性変形によって変形させて薄板フィンを取り付けるヒートシンクと同等の優れた放熱効率を備えたヒートシンクを得ることができる。
【００２８】
図２は、ベースプレートの薄板フィン取付面に押し出し成形によって形成された凸部の断面を示す図である。図２（ａ）の左側は凸部の設計上の断面形状を示している。図２（ａ）の右側には、凸部の実際の場合の断面形状を示している。図２（ａ）の左側に示す設計上の断面形状では、凸部の基部１１は直角であるが、図２（ａ）の右側に示す実際の場合の断面形状では、凸部の基部１２は、Ｒ（０．３ｍｍ程度）が付いている。例えば、凸部の頭部が０．６〜１．５ｍｍとした場合、その基部は、１．２ｍｍ〜２．１ｍｍとなる。
【００２９】
このため、設計通りに薄板フィンのスリット部を形成すると、上記のような基部の広がりによって、ベースプレートから薄板フィンの底部が浮き上がってしまい、熱伝達率が下がってしまう。従って、ベースプレートの薄板フィン取付面に押し出し成形によって形成された凸部の基部には、所要の処置が必要になる。
【００３０】
この発明のヒートシンクの１つの態様においては、ベースプレートの薄板フィン取付面に一体的に形成される凸部の基部の幅が、凸部の頭部の幅よりも小さくしている。図２（ｂ）は、凸部の形状の１つの態様を示す断面図である。図２（ｃ）は、凸部の形状の他の１つの態様を示す断面図である。図２（ｂ）に示す態様では、凸部５の頭部１４の幅よりも基部１３の幅の方が小さい。この態様では、凸部５の側面は概ね平行であり、基部１３の幅が頭部１４よりも減少している。例えば、頭部１４の幅を１．０ｍｍとしたとき、基部１３の幅は０．６ｍｍ程度にすることが好ましい。
【００３１】
図２（ｃ）に示す態様においても、凸部５の頭部１４の幅よりも基部１３の幅の方が小さい。この態様では、凸部５の長手方向の側面１５が頭部１４から基部１３に向かって所定の角度で傾斜して、基部１３に向かって幅が漸減している。このように、凸部５の頭部１４の幅よりも基部１３の幅を小さくすることによって、ベースプレート２の薄板フィン取付面４に押し出し成形によって形成された凸部５に、概ねＬ字形の薄板フィン３の固定部６に形成されたスリット８を嵌合するとき、ベースプレート２と薄板フィン３の熱的な接合が容易になり、熱抵抗を小さくすることができる。
【００３２】
なお、凸部５の基部の幅を頭部の幅よりも小さくした場合、その差が大きすぎるとスリット８と凸部５の基部１３との間の間隙が大きくなってしまい、良好にカシメることができない。そのため、凸部５の基部の幅と頭部の幅の差は、０．３〜０．５ｍｍ程度が好ましい。
【００３３】
図３は、他の態様の薄板フィンを説明する平面図である。図１に示す態様では、概ねＬ字形の薄板フィン３の固定部６に形成されるスリット８は、四周が閉塞された矩形からなっていたが、図３に示す態様では、概ねＬ字形の薄板フィン３の固定部６に形成されるスリット９は、長手方向の一方の端部１０が開放されている。即ち、底部６および放熱部７を備えた概ねＬ字形の薄板フィン１の固定部６に、長手方向の一方の端部が閉塞され、長手方向の他方の端部が開放されてた矩形のスリット９が形成されている。
【００３４】
このように長手方向の一方の端部１０が開放されていると、スリット９を備えた固定部６を、凸部５の側方からスライドさせるように移動して、凸部５に固定部６のスリット９を嵌合することができる。嵌合した後は、上述したと同様に、凸部の頭部を機械的にカシメて薄板フィンをベースプレートの薄板取付面に固定することができる。凸部の頭部のカシメは、上述した態様と同じように、凸部の頭部全体をカシメてもよいし、凸部の頭部を部分的にカシメて固定してもよい。
【００３５】
このように、一方の端部１０を解放するようにスリット９を形成し、凸部５の側方からスライドさせるように嵌合することによって、凸部５の頭部の幅と基部の幅に大きな差があっても、スリット９と凸部５の基部１３との間に間隙が形成されることがなく、良好にカシメることができる。
【００３６】
図４は、凸部の頭部に形成された切込みの１つの態様を示す断面図である。図４（ａ）は、断面が概ねＶ字形の溝状の切込みを示す断面図である。図４（ｂ）は、断面が概ねＵ字形の溝状の切込みを示す断面図である。図４（ａ）および図４（ｂ）に示すように、凸部の頭部に、長手方向に沿って断面が概ねＶ字形の溝状の切込み１６、または、断面が概ねＵ字形の溝状の切込み１７が形成されている。このように、凸部の頭部に、長手方向に沿って溝状の切り込みを形成することによって、凸部の頭部の機械的カシメが容易になる。なお、図には示していないが、凸部の側面、基部は、図３（ｂ）および図３（ｃ）を参照して説明したように、幅が頭部の幅よりも小さく形成されている。
【００３７】
この発明のヒートシンクの他の１つの態様は、一方の面が発熱部品に熱的に接続され、他方の面に並列に配置された、窪み部を備えた上面部および脚部からなる逆Ｌ字形の突起部を備えたベースプレートと、底部および放熱部からなる概ねＬ字形の薄板フィンとを備え、ベースプレートの窪み部に、薄板フィンの底部が側面からスライドして嵌合され、上面部がカシメられて、薄板フィンがベースプレートに固定されている、ヒートシンクである。
【００３８】
図５は、この発明のヒートシンクの他の１つの態様を説明する断面図である。図５に示すように、ベースプレート３２には、窪み部３７を備えた上面部３６および脚部３８からなる逆Ｌ字形の突起部３５が押し出し成形で形成されている。窪み部３７には、底部３９および放熱部３１からなる概ねＬ字形の薄板フィン３３の底部３９が嵌合される。このように、ベースプレートの薄板フィン取付面に押し出し成形によって一体的に形成された逆Ｌ字形の突起部３５の窪み部に嵌合された薄板フィン３３の底部３９を、図中に矢印で示すように機械的にカシメて、薄板フィンをベースプレートの薄板フィン取付面に固定する。なお、図５には１つの逆Ｌ字形の突起部が示されているが、複数の逆Ｌ字形の突起部が所定の間隔で形成されている。
【００３９】
図５に示す態様においても、ベースプレートに薄板フィンを接合固定することによって、押し出し成形によって形成したベースプレートの薄板フィン取付面に、低コストで、強固に薄板フィンを取り付けることができる。機械加工によって溝を形成し、溝に薄板フィンを装入し、溝の周辺を塑性変形によって変形させて薄板フィンを取り付けるヒートシンクと同等の優れた放熱効率を備えたヒートシンクを得ることができる。
【００４０】
この態様においても、ベースプレートの薄板取付面に形成された逆Ｌ字形の突起部に、概ねＬ字形の薄板フィンの底部を嵌合させ、逆Ｌ字形の突起部の上面部を機械的にカシメて、薄板フィンをベースプレートの薄板フィン取付面に固定するので、押し出し成形によって形成されたベースプレートを使用しても、押し出し成形では難しいとされる、所定のフィンピッチで、薄板フィンを接続することができる。
【００４１】
この発明のヒートシンクの別の１つの態様は、一方の面が発熱部品に熱的に接続され、他方の面に並列に配置された、上面が底面よりも狭い溝部を備えたベースプレートと、底部および放熱部からなる概ねＬ字形の薄板フィンとを備え、ベースプレートの溝部に薄板フィンの下端部が側面からスライドして嵌合され、溝部の上面がカシメられて、薄板フィンがベースプレートに固定されている、ヒートシンクである。
【００４２】
図６は、この発明のヒートシンクの別の１つの態様を説明する断面図である。図６に示すように、ベースプレート４２には、上部４５が底部４６よりも狭い溝部４４が押し出し成形によって形成されている。このように形成された溝部４４に、底部４９および放熱部４１からなる概ねＬ字形の薄板フィン４３の底部４９が嵌合される。このように、ベースプレート４２の薄板フィン取付面に押し出し成形によって一体的に形成された上部４５が底部４６よりも狭い溝部４４に嵌合された薄板フィン４３の底部４９を、図中に矢印で示すように、機械的にカシメて、薄板フィン４３をベースプレート４２の薄板フィン取付面に固定する。この態様では、薄板フィン４３の底部４９は、ベースプレート４２に形成された溝部４４に、側面からスライド移動して嵌合される。なお、図６には１つの溝部が示されているが、複数の溝部が所定の間隔で形成されている。
【００４３】
図６に示す態様においても、ベースプレートに薄板フィンを接合固定することによって、押し出し成形によって形成したベースプレートの薄板フィン取付面に、低コストで、強固に薄板フィンを取り付けることができる。機械加工によって溝を形成し、溝に薄板フィンを装入し、溝の周辺を塑性変形によって変形させて薄板フィンを取り付けるヒートシンクと同等の優れた放熱効率を備えたヒートシンクを得ることができる。
【００４４】
図７は、この発明のヒートシンクの更に他の１つの態様を説明する図である。
図７（ａ）に示すように、ベースプレート２の発熱部品が熱的に接続される側の面に、ベースプレート２を基板に取り付けるための突起部５０を備えている。突起部５０は、相対する1対の断面が概ねＬ字形の部分５６からなっており、内部に空間部５５が形成されている。図７（ｂ）は、基板に取り付けるための部材５１である。部材５１は、断面概ね逆Ｌ字形からなる水平面５２および垂直面５４からなり、垂直面５４の下端部に突き出し部５３がある。水平面５２が上述した空間部５５に嵌合され、突き出し部が基板に固定される。
【００４５】
図８は、この発明のヒートシンクの更に他の１つの態様を説明する図である。
図８（ａ）は薄板フィンを示す斜視図である。図８（ｂ）は、ヒートシンクを示す斜視図である。図８（ａ）に示すように、この態様では、別の薄板フィン６３を使用している。即ち、薄板フィン６３は、底部６６および放熱部６７からなる概ねＬ字形の薄板フィンの放熱部６７の頂部の両側端部に一体的に形成された係合部６９を備えている。係合部６９は底部と平行に水平方向に延伸している。係合部６９は、薄板フィンを並列して配置したときに、隣接する薄板フィンと接する長さを有している。
係合部６９を備えることによって、薄板フィンを相互に補強して、変形を防止することができる。図８（ｂ）に示すように、ベースプレート６２の凸部が薄板フィン６３のスリット部６８に嵌合され、凸部の頭部が機械的にカシメられて薄板フィンがベースプレートに固定される。
【００４６】
この発明によると、押し出し成形によって形成したベースプレートの薄板フィン取付面に、低コストで、強固に薄板フィンを取り付けることができ、且つ、放熱効率に優れたヒートシンクを提供することができる。
【図面の簡単な説明】
【００４７】
【図１】図１は、この発明のヒートシンクの１つの態様を説明する図である。図１（ａ）は、凸部を備えたベースプレートを示す図である。図１（ｂ）は、底部および放熱部からなる概ねＬ字形の薄板フィンを示す図である。図１（ｃ）は、スリットに凸部が嵌合された状態を示す図である。
【図２】図２は、他の態様の薄板フィンを説明する平面図である。
【図３】図３は、ベースプレートの薄板フィン取付面に押し出し成形によって形成された凸部の断面を示す図である。図３（ａ）の左側は凸部の設計上の断面形状を示している。図３（ａ）の右側には、凸部の実際の場合の断面形状を示している。
【図４】図４は、凸部の頭部に形成された切込みの１つの態様を示す断面図である。図４（ａ）は、断面が概ねＶ字形の溝状の切込みを示す断面図である。図４（ｂ）は、断面が概ねＵ字形の溝状の切込みを示す断面図である。
【図５】図５は、この発明のヒートシンクの他の１つの態様を説明する断面図である。
【図６】図６は、この発明のヒートシンクの別の１つの態様を説明する断面図である。
【図７】図７は、この発明のヒートシンクの更に他の１つの態様を説明する図である。
【図８】図８は、この発明のヒートシンクの更に他の１つの態様を説明する図である。
【図９】図９は、従来のヒートシンクを説明する図である。
【符号の説明】
【００４８】
１    ヒートシンク
２    ベースプレート
３    薄板フィン
４    薄板フィン取付面
５    凸部
６    固定部
７    放熱部
８    スリット
９    スリット
１０  長手方向の一方の端部
１１  凸部の基部
１２  凸部の基部
１３  凸部の基部
１４  凸部の頭部
１５  凸部の長手方向の側面
１６  断面が概ねＶ字形の溝状の切込み
１７  断面が概ねＵ字形の溝状の切込み
３０、４０  ヒートシンク
３５  逆Ｌ字形の突起部
３６  上面部
３７  窪み部
３８  脚部
４４  溝部
４５  上部
４６  底部
【図１】
2010040996.tif 000003
【図２】
2010040996.tif 000004
【図３】
2010040996.tif 000005
【図４】
2010040996.tif 000006
【図５】
2010040996.tif 000007
【図６】
2010040996.tif 000008
【図７】
2010040996.tif 000009
【図８】
2010040996.tif 000010
【図９】
2010040996.tif 000011